(57)【要約】【課題】設置のバリエーションが広く、ＣＯＰが優れた空気調和機を提供する。【解決手段】風上側から、前面及び天面に吸気口４ａを設けた前面グリル４と、熱交換器２と、スタビライザ７とリアケーシング８に囲まれたクロスフローファン１と、熱交換器２で熱交換された空気を吹き出す吹き出し口６とを備え、前記リアケーシング８の下方に圧縮機３を横置きに配設したもので、室外機１５の前面と上面、又は前面からのみ外気をクロスフローファン１によって吸い込み、前面から、熱交換された空気を吹き出すことにより、室外機１５の背面を外壁に密着させて設置することができると共に、複数の室外機１５を横に並べる事ができる等室外機１５の設置方法のバリエーションが広がり、又リアケーシング８の下方に圧縮機３を横置きすることで、リアケーシング８の下方のデッドスペースが有効活用され、室外機１５全体の大きさをコンパクトにすることができる。【選択図】図２
2005308276.tif 000002
【特許請求の範囲】
【請求項１】
風上側から、前面及び天面又は前面のみに吸気口を設けた前面グリルと、熱交換器と、スタビライザとリアケーシングに囲まれたクロスフローファンと、前記熱交換器で熱交換された空気を吹き出す吹き出し口とを備え、前記リアケーシングの下方に圧縮機を横置きに配設したことを特徴とする空気調和機。
【請求項２】
風上側から、前面及び天面又は前面のみに吸気口を設けた前面グリルと、熱交換器と、スタビライザとリアケーシングに囲まれたクロスフローファンと、前記熱交換器で熱交換された空気を吹き出す吹き出し口とを備え、本体側面側に縦型の圧縮機を配設したことを特徴とする空気調和機。
【請求項３】
くの字型の熱交換器を用いた請求項１又は２記載の空気調和機。
【請求項４】
ラムダ型の熱交換器を用いた請求項１又は２記載の空気調和機。
【請求項５】
前面グリルの前面のみに吸気口を設け、かつＩ字型の熱交換器を用いた請求項１又は２記載の空気調和機。
【発明の詳細な説明】
【技術分野】
【０００１】
本発明は、セパレート型の空気調和機に関するもので、特に、背面を外壁に密着して設置する室外機に関するものである。
【背景技術】
【０００２】
従来の、背面を外壁に密着して設置し、他の面で給排気を行なう空気調和機の室外機として図１０に示されるようなものがあった。
【０００３】
即ち、図１０に示すように、室外機１９は、空気吐出口２０ａを有する前面グリル２０と、吸気口２５ｃを有する側面板２５ａ、２５ｂとを備え、分割された２個の弓型の熱交換器２２と、熱交換器２２の内方に配されたプロペラファン２１と、プロペラファン２１を回転駆動するモータ２４と、分割された２個の弓型熱交換器２２の間、即ち、室外機１９本体の中央に配置された縦型の圧縮機２３とを内蔵している。
【０００４】
上記構成により、モータ２４によりプロペラファン２１が回転すると、室外機１９の左右の側方に位置する吸気口２５ｃから外気が流入し、分割された２個の熱交換器２２を通過する際に熱交換され、プロペラファン２１を通って、前部に位置する空気吐出口２０ａから、排出されるようになっている。
【０００５】
以上のように、吸・排気が、室外機１９の側面と、前面で夫々行なわれるので、室外機１９の背面を建物の外壁に密着して設けられるようになっていた（例えば、特許文献１参照）。
【特許文献１】特開平０６−５０５６８号公報
【発明の開示】
【発明が解決しようとする課題】
【０００６】
しかしながら、上記従来の空気調和機の室外機１９では、２個の弓型の熱交換器２２を室外機１９の両側面側に配置し、室外機１９の左右の側面板２５ａ、２５ｂより外気を吸い込み、そして、正面より吹き出しているので、いくら、壁密着設置が可能といっても、室外機１９を複数台設置する際に、横に並べられない等設置に制約があるという課題があった。
【０００７】
また、２個に分割された弓型の熱交換器２２の前面面積は、かなり小さく、空気調和機のＣＯＰ上劣勢になるという課題があった。
【０００８】
本発明は、上記従来の課題を解決するもので、熱交換効率に優れ、さらに設置のバリエーションが豊富な空気調和機を提供する事を目的とする。
【課題を解決するための手段】
【０００９】
上記課題を解決するために、本発明の空気調和機は、風上側から、前面及び天面又は前面のみに吸気口を設けた前面グリルと、熱交換器と、スタビライザとリアケーシングに囲まれたクロスフローファンと、前記熱交換器で熱交換された空気を吹き出す吹き出し口とを備え、前記リアケーシングの下方に圧縮機を横置きに配設したもので、空気調和機の室外機の前面と上面から、又は前面からのみ外気をクロスフローファンによって吸い込み、前面から、熱交換された空気を吹き出すことにより、室外機の背面を外壁に密着させて設置することができると共に、複数の室外機を横に並べる事ができる等室外機の設置のバリエーションが従来以上に増加できる。又リアケーシングの下方に圧縮機が横置きされてい
るので、リアケーシングの下方のデッドスペースが有効に活用され、室外機全体の大きさをコンパクトにすることができる。
【００１０】
また、本発明の空気調和機は、風上側から、前面及び天面又は前面のみに吸気口を設けた前面グリルと、熱交換器と、スタビライザとリアケーシングに囲まれたクロスフローファンと、前記熱交換器で熱交換された空気を吹き出す吹き出し口とを備え、本体側面側に縦型の圧縮機を配設したもので、室外機の前面と上面、又は前面からのみ外気を吸い込み、前面から吹き出すことにより、室外機の背面を外壁に密着させて設置することができると共に、複数の室外機を横に並べる事ができる等室外機の設置のバリエーションが従来以上に増加でき、又縦型の圧縮機を室外機の側面側に配置するので室外機全体の高さを低くでき、取り扱い、設置工事が容易になるものである。
【発明の効果】
【００１１】
本発明の空気調和機は、背面を外壁に密着させて設置することができると共に、室外機を複数設置する時には横に並べる事ができる等、設置方法のバリエーションが広く、かつ熱交換器の熱交換面積も広くＣＯＰに優れている。
【発明を実施するための最良の形態】
【００１２】
第１の発明は、風上側から、前面及び天面又は前面のみに吸気口を設けた前面グリルと、熱交換器と、スタビライザとリアケーシングに囲まれたクロスフローファンと、前記熱交換器で熱交換された空気を吹き出す吹き出し口とを備え、前記リアケーシングの下方に圧縮機を横置きに配設したもので、空気調和機の室外機の前面と上面から、又は前面からのみ外気をクロスフローファンによって吸い込み、前面から、熱交換された空気を吹き出すことにより、室外機の背面を外壁に密着させて設置することができると共に、複数の室外機を横に並べる事ができる等室外機の設置のバリエーションが従来以上に増加できる。又リアケーシングの下方に圧縮機が横置きされているので、リアケーシングの下方のデッドスペースが有効に活用され、室外機全体の大きさをコンパクトにすることができる。
【００１３】
第２の発明は、風上側から、前面及び天面又は前面のみに吸気口を設けた前面グリルと、熱交換器と、スタビライザとリアケーシングに囲まれたクロスフローファンと、前記熱交換器で熱交換された空気を吹き出す吹き出し口とを備え、本体側面側に縦型の圧縮機を配設したもので、室外機の前面と上面から、又は前面からのみ外気を吸い込み、前面から吹き出すことにより、室外機の背面を外壁に密着させて設置することができると共に、複数の室外機を横に並べる事ができる等室外機の設置のバリエーションが従来以上に増加でき、又縦型の圧縮機を室外機の側面側に配置するので室外機全体の高さを低くでき、取り扱い、設置工事が容易になるものである。
【００１４】
第３の発明は、特に、第１又は第２の発明の熱交換器として、くの字型のものを用いたもので、熱交換器の熱交換面積を大きくとることができ、空気調和機のＣＯＰの向上が図れるものである。
【００１５】
第４の発明は、特に、第１又は第２の発明の熱交換器として、ラムダ型の熱交換器を用いたもので、熱交換器の熱交換面積を大きくとることができ、空気調和機のＣＯＰの向上が図れるものである。
【００１６】
第５の発明は、特に、第１又は第２の発明の前面グリルの前面のみに吸気口を設け、かつＩ字型の熱交換器を用いたもので、室外機の前面のみより外気を吸い込み、前面から、熱交換された空気を吹き出すという完全な一面給・排気となり、複数の室外機を縦に積むことも可能となり、室外機の設置のバリエーションが広がり、また、Ｉ字型の熱交換器により、熱交換面積を大きくなり、空気調和機のＣＯＰの向上が図れるものである。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の室外機の正面図であり、図２は、図１のＡ−Ａ概略断面図である。
【００１９】
空気調和機の室外機１５の外郭は外箱５と、前部から天面にかけて設けられ、前面及び天面に複数の吸気口４ａを備えた前面グリル４からなり、前記外箱５内部には、風上側からくの字型の熱交換器２と、スタビライザ７とリアケーシング８で囲まれたクロスフローファン１と、前方に開口し熱交換器２で熱交換された空気が吹き出される吹き出し口６が配列されている。そして、室外機１５の下部、即ち、リアケーシング８の下方に横置きの圧縮機３と、その底隣に電装ボックス９が配置されている。
【００２０】
上記構成による空気調和機の室外機１５の動作、作用は以下の通りである。
【００２１】
クロスフローファン１が回転すると、前面グリル４の前面及び天面に設けた吸気口４ａより、外気が吸い込まれ、熱交換器２で熱交換された空気が、前方に開口した吹き出し口６から吹き出される。
【００２２】
以上のように、本実施の形態によれば、上面、前面で給・排気を行なうので、室外機１５の背面を外壁に密着させて設置できると共に、複数台の室外機を設置する時は、横方向に並べる事ができるなど、室外機１５の設置のバリエーションを増やす事ができる。更に、室外機１５の前面側にくの字型の熱交換器２を配置しているので、熱交換面積も大きくとることができて、従来以上に空気調和機のＣＯＰが優れるものである。
【００２３】
又リアケーシング８の下方に圧縮機３が横置きされているので、リアケーシング８の下方のデッドスペースが有効に活用され、室外機１５全体の大きさをコンパクトにすることができる。
【００２４】
また、前面グリル４の天面にも吸気口４ａを設けているので、空気の流入面積が広がり、通気抵抗が低減されるので、熱交換機２での熱交換効率も向上するものである。
【００２５】
（実施例２）
図３は、本発明の第２の実施の形態における空気調和機の室外機の正面図、図４は、図３のＢ−Ｂ概略断面図である。なお、上記第１の実施の形態と同一部分については同一符号を付してその説明を省略する。
【００２６】
本実施の形態は、図３に示すように、室外機１５の側面側に縦型の圧縮機１０を配列し、電装ボックス９を、リアケーシング８の下部に配置したもので、他の構成は第１の実施の形態と同一である。
【００２７】
上記構成によって、室外機１５の前面と上面より外気をクロスフローファン１によって吸い込み、前面から熱交換された空気を吹き出すという一面給・排気を実現して、外壁に密着設置ができると共に、縦型の圧縮機１０を室外機１５の側面側に配置するので、室外機１５の高さを小さくできる。また、室外機の前面側にくの字型の熱交換器２を配置できるので、熱交換面積を大きくとることができて、従来以上に空気調和機のＣＯＰが優れるものである。
【００２８】
（実施の形態３）
図５は、本発明の第３の実施の形態における空気調和機の室外機の概略断面図である。本実施の形態は、第１の実施の形態でくの字型の熱交換器２を使用したのに対し、ラムダ型熱交換器１１を使用するもので、他の構成は第１の実施の形態と同一である。本実施の形態によれば．ラムダ型熱交換器１１を使用することにより熱交換面積をより大きくとることができ、空気調和機のＣＯＰがさらに向上するものである。
【００２９】
（実施の形態４）
図６は、本発明の第４の実施の形態における空気調和機の室外機の概略断面図である。本実施の形態は、第２の実施の形態でくの字型の熱交換器２を使用したのに対し、ラムダ型熱交換器１１を使用するもので、他の構成は第２の実施の形態と同一である。本実施の形態によれば．ラムダ型熱交換器１１を使用することにより熱交換面積をより大きくとることができ、空気調和機のＣＯＰがさらに向上するものである。
【００３０】
（実施の形態５）
図７は、本発明の第５の実施の形態における空気調和機の室外機の概略断面図である。なお、上記実施の形態と同一部分については、同一符号を付してその説明を省略する。
【００３１】
室外機１５の外郭は外箱５と、前面のみに複数の吸気口４ａを備えた前面グリル４からなり、前記外箱５内部には、風上側からＩ字型の熱交換器１２と、スタビライザ７とリアケーシング８で囲まれたクロスフローファン１と、前方に開口し熱交換器２で熱交換された空気が吹き出される吹き出し口６が配列されている。そして、室外機１５の下部、即ち、リアケーシング８の下方に横置きの圧縮機３と、その底隣に電装ボックス９が配置されている。
【００３２】
上記構成により、空気調和機の室外機１５の前面のみより外気をクロスフローファン１によって吸い込み、前面から、熱交換された空気を吹き出すという完全な一面給排気を実現し、外壁に密着設置が可能となり、セパレート型の空気調和機の室外機１５の設置のバリエーションが従来以上に増加できる。又、室外機１５の前面側にＩ字型の熱交換器１２を配置しているので、熱交換面積をより大きくとることができて、従来以上に空気調和機のＣＯＰが優れるものである。また、複数の室外機１５を設置する場合は、天面に吸気口が無いので、縦積みする事もできる。
【００３３】
（実施の形態６）
図８は、本発明の第６の実施の形態における空気調和機の室外機の正面図で、図９は、同室外機の概略断面図である。
【００３４】
上記第５の実施の形態では、リアケーシング８の下部に横置きの圧縮機３と、その底隣に電装ボックス９を配置したのに対し、本実施の形態は、室外機１５の側面側に縦型の圧縮機１０を配置し、リアケーシング８の下部に電装ボックス９を配置したもので、他の構成は上記第５の実施の形態と同一である。
【００３５】
本実施の形態によれば、縦型の圧縮機１０を室外機１５の側面側に配置するので、第５の実施の形態における室外機１５に較べ、室外機１５の高さを小さくできる。
【産業上の利用可能性】
【００３６】
本発明にかかる空気調和機は、前面と上面から或いは前面のみから外気をクロスフローファンによって吸い込み、前面から、熱交換された空気を吹き出すことにより、背面を外壁に密着させて設置することができると共に、室外機を複数設置する時には横に並べる事ができる等、設置方法のバリエーションが広くなり、かつ熱交換器の熱交換効率も向上す
るもので、セパレート型の家庭用、業務用空気調和機に広く適用できる。
【図面の簡単な説明】
【００３７】
【図１】本発明の実施の形態１における空気調和機の室外機の正面図
【図２】図１のＡ−Ａ概略断面図
【図３】本発明の実施の形態２における空気調和機の室外機の正面図
【図４】図３のＢ−Ｂ概略断面図
【図５】本発明の実施の形態３における空気調和機の室外機の概略断面図
【図６】本発明の実施の形態４における空気調和機の室外機の概略断面図
【図７】本発明の実施の形態５における空気調和機の室外機の概略断面図
【図８】本発明の実施の形態６における空気調和機の室外機の正面図
【図９】図８のＣ−Ｃ概略断面図
【図１０】従来の空気調和機の室外機の横断面図
【符号の説明】
【００３８】
１  クロスフローファン
２  熱交換器（くの字型）
３  圧縮機
４  前面グリル
５  外箱
６  吹き出し口
７  スタビライザ
８  リアケーシング
９  電装ボックス
１０  圧縮機
１１  熱交換器（ラムダ型）
１２  熱交換器（Ｉ字型）
【図１】
2005308276.tif 000003
【図２】
2005308276.tif 000004
【図３】
2005308276.tif 000005
【図４】
2005308276.tif 000006
【図５】
2005308276.tif 000007
【図６】
2005308276.tif 000008
【図７】
2005308276.tif 000009
【図８】
2005308276.tif 000010
【図９】
2005308276.tif 000011
【図１０】
2005308276.tif 000012